【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
第１の増幅トランジスタ、及び第２の増幅トランジスタを有する第１の差動増幅回路と、
第３の増幅トランジスタ、及び第４の増幅トランジスタを有する第２の差動増幅回路と、
第１の画素、第２の画素、第３の画素、及び第４の画素を含む複数の画素と、
第１のスイッチ回路と、第２のスイッチ回路と、第３のスイッチ回路と
を備え、
前記第１の画素は、第１の光電変換部、及び前記第１の増幅トランジスタを含み、
前記第２の画素は、第２の光電変換部、及び前記第２の増幅トランジスタを含み、
前記第３の画素は、第３の光電変換部、及び前記第３の増幅トランジスタを含み、
前記第４の画素は、第４の光電変換部、及び前記第４の増幅トランジスタを含み、
前記第１のスイッチ回路は、前記第１の画素と接続される第１の信号線と、前記第２の画素と接続される第２の信号線とを接続し、
前記第２のスイッチ回路は、前記第２の信号線と、前記第３の画素と接続される第３の信号線とを接続し、
前記第３のスイッチ回路は、前記第３の信号線と、前記第４の画素と接続される第４の信号線とを接続する
固体撮像装置。
【請求項２】
前記第１の差動増幅回路は、第１の複数のスイッチを含む
請求項１に記載の固体撮像装置。
【請求項３】
前記第１の複数のスイッチは、
第１のリセット電圧と、前記第１の増幅トランジスタとの間に接続された第１のスイッチと、
前記第１のリセット電圧と異なる第２のリセット電圧と、前記第１の増幅トランジスタとの間に接続された第２のスイッチと
を含む
請求項２に記載の固体撮像装置。
【請求項４】
制御部をさらに備え、
前記制御部は、前記第１のスイッチと前記第２のスイッチを制御して、前記第１の増幅トランジスタと、前記第１のリセット電圧又は前記第２のリセット電圧とを選択的に接続する
請求項３に記載の固体撮像装置。
【請求項５】
前記第１の複数のスイッチは、
前記第１のリセット電圧と、前記第２の増幅トランジスタとの間に接続された第３のスイッチと、
前記第２のリセット電圧と、前記第２の増幅トランジスタとの間に接続された第４のスイッチと
をさらに含む
請求項３に記載の固体撮像装置。
【請求項６】
制御部をさらに備え、
前記制御部は、前記第３のスイッチと前記第４のスイッチを制御して、前記第２の増幅トランジスタと、前記第１のリセット電圧又は前記第２のリセット電圧とを選択的に接続する
請求項５に記載の固体撮像装置。
【請求項７】
前記第２の差動増幅回路は、第２の複数のスイッチを含む
請求項５に記載の固体撮像装置。
【請求項８】
前記第２の複数のスイッチは、
前記第１のリセット電圧と、前記第３の増幅トランジスタとの間に接続された第５のスイッチと、
前記第２のリセット電圧と、前記第３の増幅トランジスタとの間に接続された第６のスイッチと
を含む
請求項７に記載の固体撮像装置。
【請求項９】
制御部をさらに備え、
前記制御部は、前記第５のスイッチと前記第６のスイッチを制御して、前記第３の増幅トランジスタと、前記第１のリセット電圧又は前記第２のリセット電圧とを選択的に接続する
請求項８に記載の固体撮像装置。
【請求項１０】
前記第２の複数のスイッチは、
前記第１のリセット電圧と、前記第４の増幅トランジスタとの間に接続された第７のスイッチと、
前記第２のリセット電圧と、前記第４の増幅トランジスタとの間に接続された第８のスイッチと
をさらに含む
請求項８に記載の固体撮像装置。
【請求項１１】
制御部をさらに備え、
前記制御部は、前記第７のスイッチと前記第８のスイッチを制御して、前記第４の増幅トランジスタと、前記第１のリセット電圧又は前記第２のリセット電圧とを選択的に接続する
請求項１０に記載の固体撮像装置。
【請求項１２】
制御部をさらに備え、
前記制御部は、
参照画素モードで動作する場合、前記第１のスイッチ回路と、前記第３のスイッチ回路をオン状態にし、
ソースフォロア画素モードで動作する場合、前記第２のスイッチ回路をオフ状態にする
請求項１に記載の固体撮像装置。
【手続補正２】
【補正対象書類名】明細書
【補正対象項目名】発明の名称
【補正方法】変更
【補正の内容】
【発明の名称】固体撮像装置
【手続補正３】
【補正対象書類名】明細書
【補正対象項目名】０００１
【補正方法】変更
【補正の内容】
【０００１】
本技術は、固体撮像装置に関し、特に、高い変換効率を実現する差動増幅回路を提供することができるようにした固体撮像装置に関する。
【手続補正４】
【補正対象書類名】明細書
【補正対象項目名】０００７
【補正方法】変更
【補正の内容】
【０００７】
本技術の一側面の固体撮像装置は、第１の増幅トランジスタ、及び第２の増幅トランジスタを有する第１の差動増幅回路と、第３の増幅トランジスタ、及び第４の増幅トランジスタを有する第２の差動増幅回路と、第１の画素、第２の画素、第３の画素、及び第４の画素を含む複数の画素と、第１のスイッチ回路と、第２のスイッチ回路と、第３のスイッチ回路とを備え、前記第１の画素は、第１の光電変換部、及び前記第１の増幅トランジスタを含み、前記第２の画素は、第２の光電変換部、及び前記第２の増幅トランジスタを含み、前記第３の画素は、第３の光電変換部、及び前記第３の増幅トランジスタを含み、前記第４の画素は、第４の光電変換部、及び前記第４の増幅トランジスタを含み、前記第１のスイッチ回路は、前記第１の画素と接続される第１の信号線と、前記第２の画素と接続される第２の信号線とを接続し、前記第２のスイッチ回路は、前記第２の信号線と、前記第３の画素と接続される第３の信号線とを接続し、前記第３のスイッチ回路は、前記第３の信号線と、前記第４の画素と接続される第４の信号線とを接続する固体撮像装置である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本技術の一側面の固体撮像装置においては、第１の増幅トランジスタ、及び第２の増幅トランジスタを有する第１の差動増幅回路と、第３の増幅トランジスタ、及び第４の増幅トランジスタを有する第２の差動増幅回路と、第１の画素、第２の画素、第３の画素、及び第４の画素を含む複数の画素と、第１のスイッチ回路と、第２のスイッチ回路と、第３のスイッチ回路とが設けられ、前記第１の画素には、第１の光電変換部、及び前記第１の増幅トランジスタが含まれ、前記第２の画素には、第２の光電変換部、及び前記第２の増幅トランジスタが含まれ、前記第３の画素には、第３の光電変換部、及び前記第３の増幅トランジスタが含まれ、前記第４の画素には、第４の光電変換部、及び前記第４の増幅トランジスタが含まれ、前記第１のスイッチ回路には、前記第１の画素と接続される第１の信号線と、前記第２の画素と接続される第２の信号線とが接続され、前記第２のスイッチ回路には、前記第２の信号線と、前記第３の画素と接続される第３の信号線とが接続され、前記第３のスイッチ回路には、前記第３の信号線と、前記第４の画素と接続される第４の信号線とが接続される。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本技術の一側面によれば、高い変換効率を実現する差動増幅回路を提供することができる。